(57)【要約】【課題】従来の構造では、開口の周壁に本体側リブを立設すると共に、蓋体側の周縁にこの本体側リブの内側に沿うように蓋体側リブを形成し、本体側リブと蓋体側リブとを先端側から同時に加熱して溶融して相互に溶着させることによって蓋体を本体側に溶着している。そのため、溶融した本体側リブおよび蓋体側リブが溶着後に盛り上がった状態で残ってしまい、外観が損なわれる。【解決手段】上記本体側リブと蓋体側リブとの間に所定の空間を形成しておき、上記本体側リブと蓋体側リブとを相互に溶着した部分をこの所定の空間内に押し込んで、溶着後に溶着部が盛り上がらないようにした。【選択図】  図３
2020093464.tif 000002
【特許請求の範囲】
【請求項１】
樹脂製のケーシング本体に形成された開口の周壁に立設された環状の本体側リブに対して、この開口を閉塞する蓋体が溶着されたケーシングの密閉構造において、上記蓋体の外周に沿って、上記本体側リブに対して所定の空間を挟んで対峙する蓋体側リブを設け、上記本体側リブと蓋体側リブとを相互に溶着した部分を上記所定の空間内に収納させたことを特徴とするケーシングの密閉構造。
【請求項２】
上記相互に溶着した部分が、平板状のヒータによって成型されていることを特徴とする請求項１に記載のケーシングの密閉構造。
【請求項３】
樹脂製のケーシング本体に形成された開口の周壁に立設された環状の本体側リブに対して、この開口を閉塞する蓋体を溶着して上記開口を閉塞するケーシングの密閉方法において、上記蓋体の外周に沿って、上記本体側リブに対して所定の空間を挟んで対峙する蓋体側リブを設け、上記本体側リブと蓋体側リブとを溶融して相互に溶着し、その溶着した部分を上記所定の空間内に収納させたことを特徴とするケーシングの密閉方法。
【請求項４】
上記溶着した部分を上記所定の空間内に収納させた後、さらにこの溶着した部分を平板状のヒータで空間内に押し込んで溶着した部分の高さを低くしたことを特徴とする請求項３に記載のケーシングの密閉方法。
【発明の詳細な説明】
【技術分野】
【０００１】
本発明は、ケーシング本体の開口に蓋体を取付、ケーシング本体に対して蓋体を開口の全周にわたって溶着することによってケーシングの内部空間を外部に対して密閉するケーシングの密閉構造およびその方法に関する。
【背景技術】
【０００２】
例えば、断面が四角形の筒状体をケーシング本体とする照明器具において、ケーシング本体の両端の開口に蓋体を嵌め込み、その蓋体をケーシング本体の開口の全周にわたって溶着させることによってケーシング本体の内部空間を外部に対して密閉するようにしたものが知られている（例えば、特許文献１参照）。
【先行技術文献】
【特許文献】
【０００３】
【特許文献１】特開２０１６−２０３４７７号公報（図２、図３）
【発明の概要】
【発明が解決しようとする課題】
【０００４】
上記従来の構造では、開口の周壁に本体側リブを立設すると共に、蓋体側の周縁にこの本体側リブの内側に沿うように蓋体側リブを形成し、本体側リブと蓋体側リブとを先端側から同時に加熱して溶融して相互に溶着させることによって蓋体を本体側に溶着している。そのため、溶融した本体側リブおよび蓋体側リブが溶着後に盛り上がった状態で残ってしまい、外観が損なわれるという不具合が生じる。
【０００５】
そこで本発明は、上記の問題点に鑑み、本体側に蓋体を溶着した後に、本体側リブや蓋体側リブが盛りあがった状態で残らないケーシングの密閉構造およびその方法を提供することを課題とする。
【課題を解決するための手段】
【０００６】
上記課題を解決するために本発明によるケーシングの密閉構造は、樹脂製のケーシング本体に形成された開口の周壁に立設された環状の本体側リブに対して、この開口を閉塞する蓋体が溶着されたケーシングの密閉構造において、上記蓋体の外周に沿って、上記本体側リブに対して所定の空間を挟んで対峙する蓋体側リブを設け、上記本体側リブと蓋体側リブとを相互に溶着した部分を上記所定の空間内に収納させたことを特徴とする。
【０００７】
また、上記課題を解決するために本発明によるケーシングの密閉方法は、樹脂製のケーシング本体に形成された開口の周壁に立設された環状の本体側リブに対して、この開口を閉塞する蓋体を溶着して上記開口を閉塞するケーシングの密閉方法において、上記蓋体の外周に沿って、上記本体側リブに対して所定の空間を挟んで対峙する蓋体側リブを設け、上記本体側リブと蓋体側リブとを溶融して相互に溶着し、その溶着した部分を上記所定の空間内に収納させたことを特徴とする。
【０００８】
上記密閉構造および密閉方法は、ともに溶着した後の本体側リブおよび蓋体側リブを上記所定の区間内に収納させることによって、溶着後に両リブが盛り上がった状態で残らない。なお、ここで言う密閉とはケーシング本体の開口を蓋体で密閉すると言うことで、ケーシング本体に内圧調節用の穴などが設けられ、溶着後のケーシング本体が厳密には密閉構造になっていない場合も含む。
【０００９】
また、この溶着の際に、溶着した部分が溶着後に盛り上がった形状になる場合がある。この盛り上がった部分が意匠を損なう場合には、さらに平板状のヒータを溶着した部分に押し付けて成型してもよい。
【発明の効果】
【００１０】
以上の説明から明らかなように、本発明は、ケーシング本体の開口に蓋体を溶着した後に、溶着部分に盛り上がった状態の部分が残らないので、溶着後の外観が損なわれることがない。
【図面の簡単な説明】
【００１１】
【図１】本発明が適用される照明器具を台所に設置した状態を示す図
【図２】蓋体を取り付ける前の開口の状態を示す図
【図３】ケーシングに蓋体を溶着する第１の工程を示す図
【図４】ケーシングに蓋体を溶着する第２の工程を示す図
【図５】ヒータの構造を示す図
【発明を実施するための形態】
【００１２】
図１を参照して、１は本発明による照明器具で有り、台所の吊り戸棚Ｌの下面に取り付けられている。この照明器具１は下面及び手前側面が透明で、残りの２面が不透明な樹脂で形成された筒状体のケーシング本体（以下、本体という）２と、その本体２の両端面に溶着された１対の蓋体３とで構成されている。なお、この本体２は押出成形で形成されており、外周面２１は光沢のある化粧処置が施されている。
【００１３】
図２に示すように、本体２の端部に、化粧処理が施されている外周面２１に対して一段設けた内側に溶着用の本体側リブ２２を設けた。また、蓋体３にはこの溶着用の本体側リブ２２と対峙して溶着される蓋体側リブ３１を設けると共に、この蓋体側リブ３１を本体２にセットした状態で本体側リブと蓋体側リブ３１との間に所定の区間３２が形成されるようにした。
【００１４】
なお、本体２とは別体として押出成形で形成した筒状のスリーブ６を本体２内に挿入した。本実施の形態では本体２の両端に開口が形成されているので、このスリーブ６の長さは本体２の長さに対して蓋体３の厚みの２倍の寸法分だけ短く形成されている。蓋体３をケーシングの開口に嵌め込むと、スリーブ６の端面６１に蓋体３が当接して、蓋体３は所定の位置で位置決めされることになる。本図に示す４は回路基板で有り、片面に複数個のＬＥＤ４１が所定の間隔で実装されている。
【００１５】
図３を参照して、５は上下方向に移動することのできるジグである。このジグ５は強度を確保するため金属で形成されている。そして、このジグ５の下面には、絶縁体７１を介して溶着用のヒータ７が取り付けられている。このヒータ７は本体２の端部形状に合わせて平面視した状態で矩形状に形成されており、対向する２ヶ所に通電用のコード７２，７３が接続されており、両コード７２，７３を介して通電されることによって、ヒータ７自体が発熱する。したがって、ヒータ７が発熱した状態でジグ５を下降させれば、本体２の本体側リブ２２と蓋体３の蓋体側リブ３１とが互いに溶融して溶着される。
【００１６】
本図（ｂ）に示すように、本体側リブ２２と蓋体側リブ３１との溶着部Ｍは溶着された後に、更に下降するヒータ７によって互いに内側に曲げられ、空間３２内に押し込まれるようにした。
【００１７】
図３に示したように、溶着後は本体側リブ２２および蓋体側リブ３１は空間３２内に押し込まれた状態である。このままでも、溶着部Ｍが外観上目立たないが、更に溶着部Ｍを目立たなくするために、図４に示すように、フラットなヒータ８を用いて盛り上がっている溶着部Ｍを更に空間３２が消失するまで押し込んで、外周面２１に対してほぼ直角の形状に整形するようにしてもよい。なお、本図において８１は絶縁体であり、８２，８３は通電用のコードである。
【００１８】
上記図３および図４では各々ヒータ７およびヒータ８を用いたが、両者は断面形状が相違するものの基本的な構造は同じである。ヒータ８を例にとり、その構造を説明する。図５を参照して、上述のように、ヒータ８は平面視した状態で矩形状に形成されている。そして、その断面は、通電によって発熱する金属製のヒータ本体８４と、その下面に熱伝導率が極めて高いダイヤモンド粒子を電着した電着層８５を設け、更にその電着層８５の表面を、フッ素樹脂からなるコーティング層８６でコーティングした。
【００１９】
このように構成することにより、コード８２，８３を介して通電するとヒータ本体８４が発熱するが、その発熱により生じた熱エネルギは、ダイヤモンド粒子を通って下面に流れる。そして、その熱エネルギによって上記本体側リブ２２および蓋体側リブ３１を溶融するが、溶融した樹脂がヒータ８側に粘着しないように、フッ素樹脂からなるコーティング層８６を設けている。
【００２０】
そして、このようにヒータ本体８４を薄い板状にすることによって熱容量を低減させ、通電を停止すると、直ちに冷却されるようにした。従って、上述のように、ヒータ８（あるいはヒータ７）に通電しながら本体側リブ２２や蓋体側リブ３１を加熱し整形した後、通電を停止すると直ちに溶着部Ｍが冷却され硬化するようにした。なおその際に、空気を吹きかけるなどして冷却速度を速めてもよい。
【００２１】
なお、本発明は上記した形態に限定されるものではなく、本発明の要旨を逸脱しない範囲内において種々の変更を加えてもかまわない。
【符号の説明】
【００２２】
１  照明器具
２  ケーシング
３  蓋体
５  ジグ
７  ヒータ
８  ヒータ
９  ケーシング
２１  外周面
２２  本体側リブ
３１  蓋体側リブ
３２  空間
Ｍ  溶着部
【図１】
2020093464.tif 000003
【図２】
2020093464.tif 000004
【図３】
2020093464.tif 000005
【図４】
2020093464.tif 000006
【図５】
2020093464.tif 000007